(57)【要約】      （修正有）【課題】発光部材の装着が容易であると共に、装着した発光部材が剥がれ難いのぼり旗を提供する。【解決手段】矩形に形成された旗布１１と、上記旗布を支持する棒材１２とからなり、上記旗布の表面に、発光ダイオード１４を封入した発光部材１５が配設されたのぼり旗において、上記発光部材は、所定の長さ寸法を有すると共に、上記旗布に当接する平面部を有し、上記平面部の表面には粘着部材が塗布された構成とする。【選択図】図１
0003156556.tif 000002
【実用新案登録請求の範囲】
【請求項１】
矩形に形成された旗布と、上記旗布を支持する棒材とからなり、上記旗布の表面に、発光ダイオードを封入した発光部材が配設されたのぼり旗において、
上記発光部材は、所定の長さ寸法を有すると共に、上記旗布に当接する平面部を有し、上記平面部の表面には粘着部材が塗布されていることを特徴とするのぼり旗。
【請求項２】
上記発光部材は合成樹脂からなり、所定の径寸法を有する半円柱形に形成され、
上記発光ダイオードは上記発光部材の内部において、長さ方向に沿って所定間隔離間して埋設されると共に、上記粘着部材は上記発光部材の長さ方向面部全域に塗布されていることを特徴とする請求項１に記載ののぼり旗。
【請求項３】
上記発光ダイオードは、上記棒材に装着された電源装置に接続され、上記電源装置から供給される電力によって発光することを特徴とする請求項１又は２に記載ののぼり旗。
【請求項４】
上記電源装置は、上記棒材の内部に配設されていることを特徴とする請求項３記載ののぼり旗。
【考案の詳細な説明】
【技術分野】
【０００１】
本考案は広告宣伝用に用いるのぼり旗に関する。
【背景技術】
【０００２】
店舗等の宣伝広告を行うため、当該店舗等の店先、若しくは路上端等に設置されるのぼり旗は古くから用いられている。
一般的に、のぼり旗は細長矩形に形成された旗布と、上記旗布を支持する棒部材とから形成され、上記旗布の表面には、商品名称、店舗名称、宣伝文句等が、印刷若しくは刺繍等の手段によって表示されている。
【０００３】
しかしながら、印刷若しくは刺繍等の手段で表示した場合は、夜間等の暗い場所においては識別し難く、広告効果が大きく減退するという不具合を有していた。
【０００４】
上記不具合を解決するために、図３（ａ）に示すように、シート幕４１の表面４４に表示された、文字若しくは記号４２の外縁に沿って、発光紐体４３を配置した発光広告案内幕４０が提案されている（特許文献１）。
なお、図３（ａ）は上記シート幕４１の正面図であり（ｂ）は（ａ）のＡ−Ａ線断面図であり、（ｃ）は（ｂ）の一部拡大図である。
図３（ｂ）及び（ｃ）に示すように、上記発光紐体４３は柔軟性を有する合成樹脂からなり、細長の円柱形に形成され、図３（ｃ）に示すように上記発光紐体４３の内部には複数の発光ダイオードからなる発光体４６が上記発光紐体４３の長さ方向に沿って配置されると共に、上記発光体４６を接続する配線部材が埋設されている。
また、図３（ｃ）に示すように、上記発光紐体４３は、上記シート幕４１の裏面４５から表面４４に貫通する固定用バンド４７を外周に巻き回して、締め付けることによって、上記シート幕４１の所定位置に固定されている。
上記特許文献１に係る発光広告案内幕４０にあっては、発光体４６が光ることによって、夜間であっても注意を喚起しうるという効果を呈するが、図３（ｂ）に示すように、上記発光紐帯４３は、複数個所において、上記固定用バンド４７によって上記シート幕４１に固定する必要があることから、取り付け作業に非常に手間がかかるという不具合を有していた。
また、上記特許文献１においては、上記発光紐帯４３を接着剤で取り付けても良い旨記載されているが、図３（ｃ）に示すように、上記発光紐体４３は細長円筒形であるため、上記発光紐体４３と上記シート幕４１とは、上記発光紐体４３の長さ方向に沿って線接触によって当接している。
従って、接着剤によって接着した場合には、安定性に欠け、上記発光紐体４３が上記シート幕４１から剥がれ落ちる虞があるという別途の不具合をも有していた。
【特許文献１】実登３０５２８８１号公報
【考案の開示】
【考案が解決しようとする課題】
【０００５】
本考案の課題は、発光部材の装着が容易であると共に、装着した発光部材が剥がれ難いのぼり旗を提供することにある。
【課題を解決するための手段】
【０００６】
上記課題を解決するために、請求項１の考案に係るのぼり旗は、上記発光部材は、所定の長さ寸法を有すると共に、上記旗布に当接する平面部を有し、上記平面部の表面には粘着部材が塗布されていることを特徴とする。
【０００７】
従って、上記発光部材は上記旗布の表面と面接触により当接すると共に、上記粘着部材によって、旗布表面に強固に固定される。
【０００８】
また、請求項２の考案に係るのぼり旗は、上記発光部材は合成樹脂からなり、所定の径寸法を有する半円柱形に形成され、上記発光ダイオードは上記発光部材の内部において、長さ方向に沿って所定間隔離間して埋設されると共に、上記粘着部材は上記発光部材の長さ方向面部全域に塗布されていることを特徴とする。
従って、上記発光部材は、長さ方向面部において旗布と当接して接着される。
【０００９】
また、請求項３の考案に係るのぼり旗は、上記発光ダイオードは、上記棒材に装着された電源装置に接続され、上記電源装置から供給される電力によって発光することを特徴とする。
従って、設置場所に寄らず、上記電源装置から常に電源供給が可能とある。
【００１０】
また、請求項４の考案に係るのぼり旗は、上記電源装置は、上記棒材の内部に配設されていることを特徴とする。従って、電源装置が上記のぼり旗と別体とならない。
【考案の効果】
【００１１】
請求項１の考案にあっては、上記発光部材は、所定の長さ寸法を有すると共に、上記旗布に当接する平面部を有し、上記平面部の表面には粘着部材が塗布されていることから、発光部材の装着が容易であると共に、装着した発光部材が剥がれ難いのぼり旗を提供することができる。
【００１２】
また、請求項２の考案にあっては、上記発光部材は合成樹脂からなり、所定の径寸法を有する半円柱形に形成され、上記発光ダイオードは上記発光部材の内部において、長さ方向に沿って所定間隔離間して埋設されると共に、上記粘着部材は上記発光部材の長さ方向面部全域に塗布されていることから、請求項１の効果に加え、必要な長さ寸法で寸断した場合であっても、旗布に容易に装着することが可能である。
【００１３】
更に、請求項３の考案にあっては、上記発光ダイオードは、上記棒材に装着された電源装置に接続され、上記電源装置から供給される電力によって発光することから、商用電源のない場所においても、設置することができるため、設置場所を自由に選択することが可能である。
また、請求項４の考案にあっては、上記電源装置は、上記棒材の内部に配設されていることから、設置時においても、電源装置が邪魔となることがない。
【図面の簡単な説明】
【００１４】
【図１】本考案の一実施の形態を示し、実施例の形態におけるのぼり旗の（ａ）は正面図、（ｂ）は（ａ）の一部拡大図である。
【図２】本実施例における、発光部材の全体斜視図である。
【図３】従来の発光紐体が配置された従来の発光広告案内幕の（ａ）は正面図、（ｂ）は（ａ）のＡ−Ａ線断面図、（ｃ）は（ｂ）の一部拡大図である。
【考案を実施するための最良の形態】
【００１５】
本考案を実施するための形態について、図面を用いて説明する。
図１（ａ）、（ｂ）に示すように、本実施例に係るのぼり旗１０は、長方形に形成された旗布１１と、上記旗布１１を支持する棒材１２とからなり、上記旗布１１の表面１３に、発光ダイオード１４を封入した発光部材１５が配設されている。
また、図２に示すように上記発光部材１５は合成樹脂からなり、所定の径寸法を有する半円柱形に形成されると共に、上記旗布１１に当接する平面部１６を有し、上記平面部１６の表面の略全域には粘着部材１７が塗布されている。
また、上記発光ダイオード１４は上記発光部材１５の内部において、長さ方向に沿って所定間隔離間して埋設されている。
また、図１（ａ）に示すように、上記棒材１２の内部には、上記発光ダイオード１４（図１（ａ）には図示せず）に接続しうる一次電池若しくは二次電池からなる電源装置１８が配設されている。
【実施例１】
【００１６】
以下に、図面を用いて本実施例の構成について詳細を説明する。
図１（ａ）は、本実施例に係るのぼり旗１０の一形態を示す正面図であり、（ｂ）は、発光部材１５の装着部分の一部拡大図を示している。
図１（ａ）に示すように、旗布１１は、幅方向一端部１１ａ、及び長さ方向一端部１１ｂにおいて、所定間隔離間して配置された留め具１９によって、棒材１２ａ、１２ｂに固定されている。
上記旗布１１の表面には、商品名等を示す文字２０及び、上記文字の周囲を囲むように配置された発光部材１５が貼設されている。
なお、本実施例の文字２０の形態及び発光部材１５の配置形態はあくまで一例を示すものであり、いかなる形状、配置であっても、本実施例と同様の作用効果を得ることが可能である。
また、図２は、本実施例に係る発光部材１５の全体斜視図を示している。
図２に示すように、上記発光部材１５は透明若しくは半透明の合成樹脂からなり、細長の半円柱形に形成されている。
上記発光ダイオード１４・・１４は、上記発光部材１５の内部において、所定間隔離間すると共に、上記発光部材１５の長さ方向に沿って配置されている。
また、上記発光ダイオードの両端子１４ａ，１４ｂは、上記発光部材１５の内部において、径方向両端部に長さ方向に沿って配置された一対の接続線路２１ａ，２１ｂに接続され、並列回路を形成している。
また、図１（ｂ）に示すように、上記発光部材１５は、接続線路２１ａ，及び２１ｂ以外の部分の切断することにより、任意角度に折り曲げて配設することができる。
また、図１（ａ）に示すように、棒材１２ａ下端部近傍の内部には、充電可能な二次電池からなる電源装置１８が配置され、上記発光ダイオード１４、・・・１４と、電源線路２２ａ，２２ｂを介して接続されている。
【００１７】
上記実施例の構成によれば、上記発光ダイオード１４・・・１４が発光することによって、描画されている文字２０等を識別しうるため、夜間等、外部光がない場合であっても、非常に目立ち易く、宣伝広告機能を大幅に向上させることが可能である。
また、図２に示すように、上記発光部材１５には粘着部材１７が塗布されていることから、旗布１１への装着も非常に容易であると共に、上記接続線路２１ａ，２１ｂ以外の部分を、任意の長さで切断し、折り曲げることが可能であるため、多彩なデザインに対応することが可能である。
【００１８】
なお、本実施例にあっては、電源装置１８を二次電池としたが、店舗前に定常的に設置するような場合には、商用電源から電力を供給することも可能である。
また、上記発光部材１５内部における、発光ダイオード１４・・・１４の配置個数、離間寸法、発光色等については、設置場所及び広告目的等に応じて適宜調整することが可能である。
また旗布１１の大きさ、形状についても何ら限定される必要は無く、変更した場合であっても、本実施例と同様の作用効果を得ることが可能である。
【産業上の利用可能性】
【００１９】
本考案は、広告宣伝用に用いるのぼり旗に適用可能である。
【符号の説明】
【００２０】
１０  のぼり旗
１１  旗布
１１ａ旗布の幅方向一端部
１１ｂ旗布の長さ方向一端部
１２  棒材
１２ａ長方向棒材
１２ｂ幅方向棒材
１３  旗布表面
１４  発光ダイオード
１４ａ発光ダイオードの端子
１４ｂ発光ダイオードの端子
１５  発光部材
１６  発光部材の平面部
１７  粘着部材
１８  電源装置
１９  旗布の留め具
２０  文字
２１ａ接続線路
２１ｂ接続線路
２２ａ電源線路
２２ｂ電源線路
４０  発光広告案内幕
４１  シート幕
４２  記号
４３  発光紐体
４４  シート幕表面
４５  シート幕裏面
４６  発光体
４７  固定用バンド
【図１】
0003156556.tif 000003
【図２】
0003156556.tif 000004
【図３】
0003156556.tif 000005